【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
変位可能なタング（３０）を含む係止システムが設けられた床パネル（１）の組であって、前記タング（３０）は、タング本体（３０ａ）と、第１床パネルの第１縁部内の変位溝（４０）内に配置された少なくとも２つの楔部分（４５ａ、ｂ）とを含み、前記楔部分（４５ａ、ｂ）は、第２床パネルの隣接する第２縁部内のタング溝（２０）と、前記縁部の垂直方向係止のために協働し、前記係止システムは、さらに、１つの縁部内に係止要素（８）を持つ係止ストリップ（６）を含み、前記係止ストリップ（６）は、隣接する縁部内の係止溝（１４）と、前記縁部の水平方向係止のために協働し、前記タング本体（３０ａ）は、少なくとも２つの可撓性の突出部（３１ａ、ｂ）及び２つの凹部（４３ａ、ｂ）を含み、前記楔部分（４５ａ、ｂ）は、少なくとも部分的に前記凹部（４３ａ、ｂ）内に配置されており、前記突出部は、前記楔部分に対して摺動可能であり、このため、前記縁部に対して垂直な第１方向（ＰＤ）への前記タング本体の変位が得られ、これにより、前記縁部の前記垂直方向係止が引き起こされる、床パネル（１）の組において、
非係止位置にある前記可撓性の突出部（３１ａ、ｂ）は、前記楔部分（４５ａ、ｂ）に関して前記変位可能なタング（３０）に沿って本質的に変位しており、且つ、前記楔部分（４５ａ、ｂ）及び前記タング溝（２０）に対して予張力を付与するように構成されており、前記タング本体（３０ａ）は、前記変位溝に沿った変位を許容し且つ前記タング本体（３０ａ）が前記変位溝（４４）から抜け出ることを防止する摩擦接続部（４４）を含み、前記楔部分（４５ａ、ｂ）は、前記タング本体が前記縁部に沿って変位されたとき、前記楔部分が前記変位溝（４０）内で変位されることを防止する摩擦接続部（４７）を含み、前記楔部分（４５ａ、ｂ）及び前記タング本体（３０ａ）は、前記変位溝（４０）の中への前記変位可能なタング（３０）の挿入に際して解放されるようになされた解放可能な楔部分接続部（４６ａ、ｂ）を含んでいる、床パネルの組。
【請求項２】
前記タング本体（３０ａ）は、前記変位溝の上部分及び下部分に対して予張力を付与する可撓性の摩擦接続部（４４）を含んでいる、請求項１に記載の床パネルの組。
【請求項３】
前記変位可能なタング（３０）は、幾つかの楔部分及び凹部を有する、請求項１に記載の床パネルの組。
【請求項４】
前記タング本体は、前記凹部（４３）内に配置された楔部分接続部（４６）を含む、請求項１乃至３のいずれか一項に記載の床パネルの組。
【請求項５】
前記楔部分（４５）は、前記可撓性の突出部（３１）と前記楔部分接続部（４６）との間の前記凹部（４３）内に配置されている、請求項１乃至４のいずれか一項に記載の床パネルの組。
【請求項６】
前記変位溝（４０）は、対向し且つ本質的に平行な内側（４０ａ、４０ａ’）及び外側（４０ｂ、４０ｂ’）の対の溝表面を含み、前記内側溝表面（４０ａ、４０ａ’）間の垂直方向距離は、前記外側溝表面（４０ｂ、４０ｂ’）間の垂直方向距離よりも短い、請求項１乃至５のいずれか一項に記載の床パネルの組。
【請求項７】
前記縁部に沿った第２方向における前記変位可能なタング（３０）の変位が、前記第１方向における前記タングの変位を引き起こし、これにより、前記タングが前記タング溝（２０）内に入る、請求項１乃至６のいずれか一項に記載の床パネルの組。
【請求項８】
前記縁部に沿った第２方向における前記変位可能なタング（３０）の最終的な変位が、前記パネルの縁部に対して本質的に平行な前記変位可能なタングの変位を引き起こす、請求項１乃至７のいずれか一項に記載の床パネルの組。
【請求項９】
前記床パネルは、表面層を含む、請求項１乃至８のいずれか一項に記載の床パネルの組。
【請求項１０】
タング長さ（ＴＬ）を持つ少なくとも２つのタング（３０）を含むタングブランク（８０）であって、前記少なくとも２つのタング（３０）は、互いに接続されており、且つ、互いに分離されて床パネルの縁部溝（４０）内に挿入されるようになっている、タングブランク（８０）において、
各タング（３０）はタング本体（３０ａ）を含み、前記タング本体（３０ａ）は、本質的に前記タング長さ（ＴＬ）の方向に延びる少なくとも２つの突出部（３１ａ、ｂ）と、２つの凹部（４３ａ、ｂ）とを含み、前記タングは、少なくとも部分的に前記凹部（４３ａ、ｂ）の中に又は近接して配置された少なくとも２つの楔部分（４５ａ、ｂ）を含み、前記タング本体（３０ａ）及び前記楔部分（４５ａ、ｂ）は、前記溝（４０）の中への前記タング（３０）の挿入に際して前記タング本体（３０ａ）から解放されるようになされた解放可能な楔部分接続部（４６ａ、ｂ）を含んでいる、タングブランク（８０）。
【請求項１１】
楔部分は、突出部と楔部分接続部との間に配置されている、請求項１０に記載のタングブランク（８０）。
【請求項１２】
前記突出部は可撓性である、請求項１０または１１に記載のタングブランク（８０）。
【請求項１３】
第１床パネルの第１縁部内の変位溝（４０）内の変位可能なタング（３０）を含む係止システムが設けられた床パネル（１）の組であって、前記タング（３０）は、第２床パネルの隣接する第２縁部内のタング溝（２０）と、前記縁部の垂直方向係止のために協働し、前記係止システムは、さらに、１つの縁部内に係止要素（８）を持つ係止ストリップ（６）を含み、前記係止ストリップ（６）は、隣接する縁部内の係止溝（１４）と、前記縁部の水平方向係止のために協働し、前記変位可能なタングは突出部（３１ａ）を含み、前記変位溝はキャビティ（４１ａ）を含み、前記突出部は、前記キャビティの壁に対して摺動可能であり、このため、前記縁部に対して垂直な第１方向（ＰＤ）への前記タングの変位が得られ、これにより、前記縁部の前記垂直方向係止が得られる、床パネル（１）の組において、
前記キャビティが前記床パネルの後側に向かって垂直方向下方に延びていることを特徴とする床パネルの組。
【請求項１４】
前記キャビティは盲孔として形成されている、請求項１３に記載の床パネルの組。
【請求項１５】
前記キャビティは、前記係止溝（１４）を含む前記縁部上に形成されている、請求項１３に記載の床パネルの組。
【請求項１６】
前記突出部（３１ａ）は、可撓性であり、且つ、前記タング溝（２０）に対して水平方向の予張力を付与するように構成されている、請求項１３乃至１５のいずれか一項に記載の床パネルの組。
【請求項１７】
前記キャビティは下部分を含み、前記下部分は、前記キャビティの上部分に向かって垂直方向内方に配置されている、請求項１３に記載の床パネルの組。
【請求項１８】
第１床パネルの第１縁部内の変位溝（４０）内の変位可能なタング（３０）を含む係止システムが設けられた床パネル（１）の組であって、前記タング（３０）は、第２床パネルの隣接する第２縁部内のタング溝（２０）と、前記縁部の垂直方向係止のために協働し、前記係止システムは、さらに、１つの縁部内に係止要素（８）を持つ係止ストリップ（６）を含み、前記係止ストリップ（６）は、隣接する縁部内の係止溝（１４）と、前記縁部の水平方向係止のために協働し、前記変位可能なタングは突出部（３１ａ）を含み、前記変位溝はキャビティ（４１ａ）を含み、前記突出部は、前記キャビティの壁に対して摺動可能であり、このため、前記縁部に対して垂直な第１方向（ＰＤ）への前記変位可能なタングの変位が得られ、これにより、前記縁部の前記垂直方向係止が得られる、床パネル（１）の組において、
前記突出部は、可撓性であり、且つ、前記タング溝（２０）に対して水平方向の予張力を付与するように構成されていることを特徴とする床パネルの組。
【請求項１９】
前記可撓性の突出部（３１ａ）は、前記変位可能なタング（３０）の長さ方向に延びている、請求項１８に記載の床パネルの組。
【請求項２０】
第１床パネルの第１縁部内の変位溝（４０）内の変位可能なタング（３０）を含む係止システムが設けられた床パネル（１）の組であって、前記タング（３０）は、第２床パネルの隣接する第２縁部内のタング溝（２０）と、前記縁部の垂直方向係止のために協働し、前記係止システムは、さらに、１つの縁部内に係止要素（８）を持つ係止ストリップ（６）を含み、前記係止ストリップ（６）は、隣接する縁部内の係止溝（１４）と、前記縁部の水平方向係止のために協働し、前記変位可能なタングは突出部（３１ａ）を含み、前記変位溝はキャビティ（４１ａ）を含み、前記突出部は、前記キャビティの壁に対して摺動可能であり、このため、前記縁部に対して垂直な第１方向（ＰＤ）への前記タングの変位が得られ、これにより、前記縁部の前記垂直方向係止が得られる、床パネル（１）の組において、
前記突出部は、前記変位可能なタングの上部分及び／又は下部分上に配置されている床パネルの組。
【請求項２１】
前記キャビティは、前記床パネルの後側に向かって延びている、請求項２０に記載の床パネルの組。
【請求項２２】
前記キャビティは下部分を含み、前記下部分は、前記キャビティの上部分に向かって垂直方向内方に配置されている、請求項２１に記載の床パネルの組。
【請求項２３】
前記突出部（３１ａ）は可撓性である、請求項２０乃至２２のいずれか一項に記載の床パネルの組。